(57)【要約】      （修正有）【課題】手が届かない背中に塗布薬を一人で塗ることができるような用具を開発する。【解決手段】既製の「孫の手３」に撥水加工された布地で作った「孫の手ミトン」を装着し、その「孫の手ミトン２」にタオル地で作った「ミトンカバー１」をかぶせる。「ミトンカバー」に塗布薬を塗りつけ一人で簡単に背中に薬を塗布する用具を開発した。【選択図】図１
0003114000.tif 000002
【実用新案登録請求の範囲】
【請求項１】
一人で背中に薬を塗るため「孫の手」に被せるミトン（手袋）（以下、「孫の手ミトン」と言う）。「孫の手ミトン」の表地は柔らかく撥水効果のある材質（たとえばソフトビニールレザーなど）を使用し、内側には弾力性のあるやや固めのポリエステル綿またはスポンジなどを使用し、すべりの良い裏地をつける。「孫の手ミトン」の入り口内側及び「孫の手」本体にマジックテープをつける。
【請求項２】
「孫の手ミトン」を使って塗布薬などを背中に塗る際に「孫の手ミトン」に被せるカバ−（以下、「ミトンカバー」と言う）。材質は純綿のタオル地で作り入口部分にはゴムを通す。
【考案の詳細な説明】
【技術分野】
【０００１】  本考案は乾燥肌やアレルギーの人などが自分ひとりで背中に塗布薬を塗るための小用具に関するものである
【背景技術】
【０００２】  独居老人や単身者などが乾燥肌やアレルギーのため、１人で手の届かない背中へ塗り薬を塗ることに苦労しており、それを容易にするための用具を考える必要があった。
【考案の開示】
【考案が解決しようとする課題】
【０００３】  すでに先駆者が「孫の手」を利用した登録済みのものがあるが、登録実用新案３０８８７２８号の「孫の手」にパフをつける方法では、別の塗り薬や違う薬を使うたびに別の「孫の手」を用意しなければならない。また、登録実用新案３０７８９１７号は「孫の手」状のものに薬剤容器やスポンジをつけているが、この場合は塗った後のべとつき感があること、容器から直接塗る方法では背中の凹凸面に満遍なく塗ることが困難であること及び薬剤が不衛生になることがあることを考え、それらの点を解決しようとするものである。
【課題を解決するための手段】
【０００４】  本考案は「孫の手」に自由に着脱できるミトンを装着し、その「孫の手ミトン」にかぶせるタオル地の「ミトンカバー」に薬をつけて背中に薬を塗ることができる用具である。［孫の手ミトン」と［ミトンカバー」を利用することによって「孫の手」一本で複数の薬にも対応できる。「孫の手ミトン」の表地は柔らかで撥水効果のある材質たとえばソフトビニールレザーなどを使用する。これはタオル地の「ミトンカバー」に薬をつけて背中に塗る際にタオル地から「孫の手ミトン」に薬が吸収されるのを防ぐためである。次に「孫の手ミトン」内側には弾力性のある固めのポリエステル綿か固めのスポンジを入れる。これは「孫の手ミトン」に弾力性を持たせることで、背中の凹凸面全てに満遍なく薬を塗ることができるようにするためである。「孫の手ミトン」の裏地には「孫の手」を被せやすくするためにすべりの良い生地をつける。また、背中に薬を塗っている際に「孫の手ミトン」から「孫の手」が抜けぬけないように「孫の手」と「孫の手ミトン」の挿入口部分にはマジックテープをつけ、固定できるようにする。タオル地の「ミトンカバー」裾部分にはゴムを通す。これは薬をつけて背中に塗る際に「ミトンカバー」が外れないようにするとともに、付け替えを便利にするためである。
【考案の効果】
【０００５】  「孫の手」に「孫の手ミトン」を装着しておき、タオル地の「ミトンカバー」に薬を塗りつけてから塗るので、一人でも容易に背中に薬を塗ることができる。しかも「孫の手ミトン」に弾力性をもたせ、背中の凹凸部分にも満遍なく塗ることができ、タオル地なので塗りつけている間に余分な塗り薬はタオルにふき取られてべとつきを解消できる。また、別の薬をつける場合は「孫の手ミトン」はそのままで、「ミトンカバー」だけをつけ替えればよいので簡便であるし、「ミトンカバー」が汚れた場合は、それだけを洗えば良いので洗濯も容易で衛生的ある。「ミトンカバー」裾にゴムを通したことでカバーの付け替えも簡単である。
【考案を実施するための最良の形態】
【０００６】  「孫の手」を覆う「孫の手ミトン」の表地は柔らかで撥水効果のある材質、たとえばソフトビニールレザーなどを使用する。その「孫の手ミトン」の手の平と手の甲部分内側全体に厚さ（自然状態で）１ｃｍ程度の、やや固めのポリエステル綿か、やや硬めのスポンジを入れる。このポリエステル綿（またはスポンジ）の弾力性によって背中の凹凸部分にも万遍なく塗ることが可能になる。また「孫の手」を「孫の手ミトン」に出し入れし易いように裏地は滑りの良い布地とする。「孫の手」はメーカーによりサイズが異なるので、いずれにも対応できるように、「孫の手ミトン」の大きさに余裕を持たせ、入口にはゴムを通して伸縮可能とする。また、背中に塗り薬を塗っているときに「孫の手ミトン」から「孫の手」が抜けるのを防ぐために「孫の手」の柄の部分と「孫の手ミトン」入口にマジックテープをつけて両者をくっつける。その際、マジックテープの柔らかい面は「孫の手」に、硬い面は「孫の手ミトン」につける。これは「孫の手」のみを利用する場合にマジックテープの硬い面で体を傷つけないためである。なお、既存の「孫の手」を使う際には「孫の手」の柄の部分は艶出しのため塗料やニスが塗ってあるので、マジックテープを粘着しやすくするために、ニスや塗料を削り取る必要がある。
【実施例】
【０００７】  以下、添付図面に従って実施例を説明する。１は「ミトンカバー」で純綿のタオル地で作製し、裾（挿入口）にゴムを通している。２は「孫の手ミトン」表地で柔らかで撥水効果のある材質たとえばソフトビニールレザーなどを使用する。３は既製の「孫の手」である。図のように「孫の手」に「孫の手ミトン」を被せ、その上にかぶせた「ミトンカバー」表面に薬を塗りつけて背中に塗布することが可能となる。【０００８】  ４と５は「孫の手ミトン」と「孫の手」につけたマジックテープであり、装着する際に両者をくっつける役目をしている。６は少し固めのポリエステル綿（またはスポンジ）を使用し、「孫の手ミトン」の表地と裏地の間に、かつ、手の平と手の甲部分あたりに入れる。これは平坦でない背中へも満遍なく塗ることができるように弾力性を持たせるためである。【０００９】  ７は「孫の手ミトン」の裏地で、すべりの良い生地で作る。これにより「孫の手」を「孫の手ミトン」に出し入れし易くなる。【００１０】本考案の実施例は上述のごとき構成からなるもので、「孫の手ミトン」の手の甲と手の平を一回転させて両面使用も可能である。
【図面の簡単な説明】
【００１１】
【図１】  本考案の「孫の手ミトン」を「孫の手」に装着し、その上に「ミトンカバー」を被せて薬を塗れる状態にした際の平面図である。
【図２】  図１の断面図である。
【図３】  本考案の「孫の手ミトン」の平面図である。
【図４】  本考案の「ミトンカバー」の平面図である。
【符号の説明】
【００１２】  １  「ミトンカバー」
２  「孫の手ミトン」
３  既製の「孫の手」
４  マジックテープ（「孫の手ミトン」側）
５  マジックテープ（「孫の手」側）
６  ポリエステル綿（またはスポンジ）
７  「孫の手ミトン」の裏地
８  断面図の切断場所
【図１】
0003114000.tif 000003
【図２】
0003114000.tif 000004
【図３】
0003114000.tif 000005
【図４】
0003114000.tif 000006
【手続補正書】
【提出日】平成17年6月8日(2005.6.8)
【手続補正１】
【補正対象書類名】実用新案登録請求の範囲
【補正対象項目名】全文
【補正方法】変更
【補正の内容】
【実用新案登録請求の範囲】
【請求項１】
孫の手に被せるミトンであって、表地はソフトビニールレザーを使用し、中間にポリエステル綿を入れて裏地をつけ、ミトンの挿入口部分と孫の手本体双方に面ファスナーをつけて着脱自在としたことを特徴とする孫の手ミトン
【請求項２】
挿入部分にゴムが通され純綿のタオル地で作られた、請求項１記載の孫の手ミトンに被せるミトンカバー
【手続補正２】
【補正対象書類名】明細書
【補正対象項目名】全文
【補正方法】変更
【補正の内容】
【考案の詳細な説明】
【技術分野】
【０００１】  本考案は乾燥肌やアレルギーの人などが自分ひとりで背中に塗布薬を塗るための小用具に関するものである。
【背景技術】
【０００２】  独居老人や単身者などが乾燥肌やアレルギーのため、１人で手の届かない背中へ塗り薬を塗ることに苦労しており、それを容易にするための用具を考える必要があった。
【考案の開示】
【考案が解決しようとする課題】
【０００３】  すでに先駆者が「孫の手」を利用した登録済みのものがあるが、登録実用新案３０８８７２８号の「パフ孫の手」にパフをつける方法では、別の塗り薬や違う薬を使うたびに別の「孫の手」を用意しなければならない。又、登録実用新案３０７８９１７号は「孫の手」状のものに薬剤容器やスポンジをつけているが、この場合は塗った後のべとつき感があること、容器から直接塗る方法では背中の凹凸面に万遍無く塗ることが困難であること及び薬剤が不衛生になることがあることを考え、それらの点を解決しようとするものである。
【考案を解決するための手段】
【０００４】  本考案は「孫の手」に自由に着脱できるミトンを装着し、その「孫の手ミトン」に被せるタオル地の「ミトンカバー」に薬をつけて背中に塗ることができる用具である。「孫の手ミトン」と「ミトンカバー」を利用することによって「孫の手」一本で複数の薬にも対応できる。「孫の手ミトン」の表地は柔らかで撥水効果のある材質たとえばソフトビニールレザーなどを使用する。これはタオル地の「ミトンカバー」に薬をつけて背中に塗る際にタオル地から「孫の手ミトン」に薬が吸収されるのを防ぐためである。次に「孫の手ミトン」内側には弾力性のある固めのポリエステル綿か固めのスポンジを入れる。これは「孫の手ミトン」に弾力性を持たせることで背中の凹凸面全てに万遍なく薬を塗ることができるようにするためである。
「孫の手ミトン」の裏地には「孫の手」を被せやすくするためにすべりの良い生地をつける。また、薬を背中に塗っている際に「孫の手ミトン」から「孫の手」が抜けないように「孫の手」と「孫の手ミトン」の挿入口部分には面ファスナーをつけ、固定できるようにする。タオル地の「ミトンカバー」の裾部分にはゴムを通す。これは薬をつけて背中に塗る際に「ミトンカバー」が外れないようにするとともに、付け替えを便利にするためである。
【考案の効果】
【０００５】  「孫の手」に「孫の手ミトンを装着しておき、タオル地の「ミトンカバー」に薬を塗りつけてから塗るので、１人でも容易に背中に塗ることができる。しかも「孫の手ミトン」に弾力性をもたせ、背中の凹凸部分にも満遍なく塗ることができ、タオル地なので塗りつけている間に余分な塗り薬はタオル地にふき取られべとつきを解消できる。また、別の薬をつける場合は「孫の手ミトン」はそのままで、「ミトンカバー」だけを付け替えればよいので簡便であるし、「ミトンカバー」が汚れた場合は、それだけを洗えば良いので洗濯も容易で衛生的である。「ミトンカバー」の裾にゴムを通したことでカバーの付け替えも簡単である。
【考案を実施するための最良の形態】
【０００６】  「孫の手」を覆う「孫の手ミトン」の表地は柔らかで撥水効果のある材質、たとえばソフトビニールレザーなどを使用する。その「孫の手ミトン」の手の平と手の甲部分内側全体に厚さ（自然状態で）１ｃｍ程度の、やや固めのポリエステル綿か、やや固めのスポンジを入れる。このポリエステル綿（またはスポンジ）の弾力性によって背中の凹凸部分にも満遍なく塗ることが可能になる。また、「孫の手」を「孫の手ミトン」に出し入れし易いように裏地は滑りの良い生地とする。「孫の手」はメーカーによりサイズが異なるので、いずれにも対応できるように「孫の手ミトン」の大きさに余裕を持たせ、入口にはゴムを通して伸縮可能とする。又、背中に塗り薬を塗っているときに「孫の手ミトン」から「孫の手」が抜けるのを防ぐために「孫の手」の柄の部分と「孫の手ミトン」入口に面ファスナーをつけて両者をくっつける。そのさいに、面ファスナーの柔らかい面は「孫の手」に、固い面は「孫の手ミトン」につける。これは「孫の手」のみを利用する場合に面ファスナーの硬い面でからだを傷つけないためである。なお、既存の「孫の手」を使う場合には「孫の手」の柄の部分は艶出しのため塗料やニスが塗ってあるので、面ファスナーを粘着しやすくするために、ニスや塗料を削り取る必要がある。
【実施例】
【０００７】  以下、添付図面に従って実施例を説明する。１は「ミトンカバー」で純綿のタオル地で作製し、裾（挿入口）にゴムを通している。２は「孫の手ミトン」表地で柔らかい撥水効果のある材質たとえばソフトビニールレザーなどを使用する。
３は既製の「孫の手」である。図のように「孫の手」に「孫の手ミトン」を被せその上に被せた「ミトンカバー」表面に薬を塗りつけて背中に塗布することが可能となる。【０００８】  ４と５は「孫の手ミトン」と「孫の手」につけた面ファスナーであり、装着する際に両者をくっつける役目をしている。６は少し固めのポリエステル綿（またはスポンジ）を使用し、「孫の手ミトン」の表地と裏地の間にかつ、手の平と手の甲の部分あたりに入れる。これは平坦ではない背中へも満遍なく塗ることができるように弾力性をもたせるためである。【０００９】  ７は「孫の手ミトン」の裏地で、すべりの良い生地で作る。これにより「孫の手」を「孫の手ミトン」に出し入れし易くなる。【００１０】  本考案の実施例は上述のごとき構成からなるもので、「孫の手ミトン」の手の甲と手の平を一回転させて両面使用も可能である。
【図面の簡単な説明】
【００１１】
【図１】  本考案の「孫の手ミトン」を「孫の手」に装着し、その上に「ミトンカバー」を被せて薬を塗れる状態にした際の平面図である。
【図２】  図１の断面図である。
【図３】  本考案の「孫の手ミトン」の平面図である。
【図４】  本考案の「ミトンカバー」の平面図である。
【符号の説明】
【００１２】      １  「ミトンカバー」
２  「孫の手ミトン」
３  既製の「孫の手」
４  面ファスナー（「孫の手ミトン」側）
５  面ファスナー（「孫の手」側）
６  ポリエステル綿（またはスポンジ）
７  「孫の手ミトン」の裏地
８  断面図の切断場所